(57)【要約】  【課題】受信したテレビ信号からテレビジョンの映像方式を判別する判別回路を装備しなくても、ＮＴＳＣ方式、ＳＥＣＡＭ方式、ＰＡＬ方式それぞれに応じた信号処理を行うことができるテレビジョン受信機を提供すること。  【解決手段】移動体に搭載されるテレビジョン受信機において、ＮＴＳＣ方式の映像信号に応じた信号処理を施すＮＴＳＣ復調部８と、ＳＥＣＡＭ方式の映像信号に応じた信号処理を施すＳＥＣＡＭ復調部９と、ＰＡＬ方式の映像信号に応じた信号処理を施すＰＡＬ復調部１０と、移動体の現在位置を検出するためのＧＰＳ受信機１６から得られる現在位置情報に基づいて、移動体が所在するエリアで採用されている映像方式を判別する映像方式判別手段と、その判別結果に基づいて、映像信号をこれら復調部のいずれかへ供給する供給手段とを装備する。  【選択図】  図１
2006050379.tif 000002
【特許請求の範囲】
【請求項１】
移動体に搭載されるテレビジョン受信機において、
ＮＴＳＣ（National Television System Committee）方式の映像信号に応じた信号処理
を施すＮＴＳＣ処理手段と、
ＳＥＣＡＭ（Sequential couleur a Memoire）方式の映像信号に応じた信号処理を施す
ＳＥＣＡＭ処理手段と、
ＰＡＬ（Phase Alternation by Line color television）方式の映像信号に応じた信号
処理を施すＰＡＬ処理手段と、
前記移動体の現在位置を検出するための現在位置検出手段から得られる現在位置情報に
基づいて、前記移動体が所在するエリアで採用されている映像方式を判別する映像方式判
別手段と、
該映像方式判別手段による判別結果に基づいて、映像信号をこれら処理手段のいずれか
へ供給する供給手段とを備えていることを特徴とするテレビジョン受信機。
【請求項２】
前記映像方式判別手段が、
前記移動体の現在位置を検出するための現在位置検出手段から得られる現在位置情報に
基づいて、前記移動体が所在する国を検出するための所在国検出手段と、
該所在国検出手段による検出結果と、国と該国で採用されているテレビジョンの映像方
式とが対応づけられたデータとに基づいて、前記移動体が所在する国で採用されている映
像方式を検出するための映像方式検出手段とを含んで構成されていることを特徴とする請
求項１記載のテレビジョン受信機。
【請求項３】
前記映像方式判別手段による判別結果に基づいて、映像信号の方式に適したタイミング
で受信アンテナの切り換えを行うダイバーシティ制御手段を備えていることを特徴とする
請求項１又は請求項２記載のテレビジョン受信機。
【請求項４】
前記映像方式判別手段による判別結果に基づいて、映像信号の方式に適したタイミング
で映像信号を検波して受信電波の強弱を判断し、該判断結果に基づいて、映像検波出力を
所定レベルに保つように利得制御を行うＡＧＣ制御手段を備えていることを特徴とする請
求項１〜３のいずれかの項に記載のテレビジョン受信機。
【請求項５】
移動体に搭載されるテレビジョン受信機に用いる映像方式判別方法において、
前記移動体の現在位置を検出するための現在位置検出手段から得られる現在位置情報に
基づいて、前記移動体が所在する国を検出するステップと、
該検出により得られた結果と、国と該国で採用されているテレビジョンの映像方式とが
対応づけられたデータとに基づいて、前記移動体が所在する国で採用されている映像方式
を検出するステップとを有していることを特徴とする映像方式判別方法。
【発明の詳細な説明】
【技術分野】
【０００１】
本発明はテレビジョン受信機、及び映像方式判別方法に関し、より詳細には、ＮＴＳＣ
方式、ＳＥＣＡＭ方式、ＰＡＬ方式のいずれにも対応可能なテレビジョン受信機、及び該
テレビジョン受信機を実現するための映像方式判別方法に関する。
【背景技術】
【０００２】
テレビジョンの映像方式にはＮＴＳＣ方式、ＳＥＣＡＭ方式、ＰＡＬ方式があり、国に
よって採用される方式が異なっている。日本や北米ではＮＴＳＣ方式が採用されているの
に対し、欧州ではＳＥＣＡＭ方式とＰＡＬ方式とが採用されている。例えば、仏国ではＳ
ＥＣＡＭ方式が採用され、独国ではＰＡＬ方式が採用されている。ＮＴＳＣ方式、ＳＥＣ
ＡＭ方式、ＰＡＬ方式はそれぞれ走査線数や、フレーム数、垂直・水平同期周波数、色差
信号搬送方式等の特性が異なり、特にカラー放送を行うにあたってどのようにして色の情
報を伝送するのか、という点に各方式の違いが現れる。
【０００３】
そのため、適切な映像表示を実現するには、それぞれの方式に応じた信号処理を行う必
要がある。例えば、下記の特許文献１には、ＰＡＬ方式のテレビ信号を受信した場合は、
ＰＡＬ方式の映像信号を映像復調回路へ出力するのに対し、ＳＥＣＡＭ方式のテレビ信号
を受信した場合は、ＳＥＣＡＭ方式からＰＡＬ方式に変換した映像信号を前記映像復調回
路へ出力するようにした、ＰＡＬ及びＳＥＣＡＭ対応型テレビ受信機について開示されて
いる。
【０００４】
このＰＡＬ及びＳＥＣＡＭ対応型テレビ受信機には、受信したテレビ信号がＰＡＬ方式
、ＳＥＣＡＭ方式のいずれであるのかを判別するためのＳＥＣＡＭ／ＰＡＬ判別回路が装
備され、このＳＥＣＡＭ／ＰＡＬ判別回路による判別結果に基づいて、ＰＡＬ方式、ＳＥ
ＣＡＭ方式それぞれに応じた信号処理を行うことができるようになっている。このように
、従来のテレビジョン受信機では、受信したテレビ信号からテレビジョンの映像方式を判
別するための判別回路が必要であった。
【０００５】
ところで、移動中での快適なテレビ放送受信を実現するには、ダイバーシティ制御が必
要となる。テレビ放送では波形の関係上、直接届く電波とビルなどで反射した電波とが重
なり、画面にゴーストが発生しやすい。これを防止するためには複数のアンテナを用意し
、その中から最も受信状態の良いものを選択して受信する（すなわち、受信アンテナを最
適なものに切り換える）ダイバーシティ受信方式が有効である。
【０００６】
ところが、受信アンテナの切り換えはどのタイミングで行っても良いわけではなく、受
信アンテナの切り換えが好ましくない期間（例えば、走査時間）で行われると、画面に乱
れが生じてしまうおそれがある。そのため、受信アンテナの切り換えを適切なタイミング
で行うことが大切になる。しかしながら、この適切なタイミングというのは、映像方式に
よって異なるため、映像方式を考慮せずに受信アンテナの切り換えを行ってしまうと、画
面に乱れが生じてしまう場合がある。
【０００７】
また、移動中での快適なテレビ放送受信を実現するには、ダイバーシティ制御だけでな
く、移動するさまざまな場所で安定した受信状態を保つことが必要となる。そのため、テ
レビジョン受信機には、強電界、弱電界、電界の急変、妨害波など移動体特有の電波環境
に対処するための回路、例えば、受信電波の強弱に応じて受像機の利得を自動的に制御し
て常に一定の映像検波出力を得る働きをするＡＧＣ（Automatic Gain Control：自動利得
制御）回路が装備されている。
【０００８】
しかしながら、この利得制御についても、ダイバーシティ制御の場合と同様に、映像方
式によって適切な利得制御の方法が異なっているため、映像方式を考慮せずに利得制御を
行ってしまうと、移動中での快適なテレビ放送受信を実現することができなくなるおそれ
がある。
【特許文献１】特開２００３−４７０２５号公報
【発明の開示】
【課題を解決するための手段及びその効果】
【０００９】
本発明は上記課題に鑑みなされたものであって、受信したテレビ信号からテレビジョン
の映像方式を判別する判別回路を装備しなくても、ＮＴＳＣ方式、ＳＥＣＡＭ方式、ＰＡ
Ｌ方式それぞれに応じた信号処理を行うことができ、また、移動中での快適なテレビ放送
受信を実現することができるテレビジョン受信機、及び該テレビジョン受信機を実現する
ための映像方式判別方法を提供することを目的としている。
【００１０】
上記目的を達成するために本発明に係るテレビジョン受信機（１）は、移動体に搭載さ
れるテレビジョン受信機において、ＮＴＳＣ方式の映像信号に応じた信号処理を施すＮＴ
ＳＣ処理手段と、ＳＥＣＡＭ方式の映像信号に応じた信号処理を施すＳＥＣＡＭ処理手段
と、ＰＡＬ方式の映像信号に応じた信号処理を施すＰＡＬ処理手段と、前記移動体の現在
位置を検出するための現在位置検出手段から得られる現在位置情報に基づいて、前記移動
体が所在するエリアで採用されている映像方式を判別する映像方式判別手段と、該映像方
式判別手段による判別結果に基づいて、映像信号をこれら処理手段のいずれかへ供給する
供給手段とを備えていることを特徴としている。
【００１１】
すなわち、本発明に係るテレビジョン受信機（１）は、各地域（国）に応じて映像の伝
送方式（特性）が異なるが、それぞれに応じた信号処理を実現し得るようにしたテレビジ
ョン受信機であり、各方式に対応した処理手段を備え、移動体の現在位置に応じて、これ
ら処理手段を選択することを基本構成としたものである。
【００１２】
上記テレビジョン受信機（１）によれば、前記移動体が所在するエリアで採用されてい
る映像方式が判別され、その判別結果に基づいて、映像信号がＮＴＳＣ処理手段、ＳＥＣ
ＡＭ処理手段、及びＰＡＬ処理手段のいずれかへ供給される。すなわち、前記移動体が所
在するエリアで採用されている映像方式がＮＴＳＣ方式である場合、前記映像信号はＮＴ
ＳＣ処理手段へ供給され、前記移動体が所在するエリアで採用されている映像方式がＳＥ
ＣＡＭ方式である場合、前記映像信号はＳＥＣＡＭ処理手段へ供給され、前記移動体が所
在するエリアで採用されている映像方式がＰＡＬ方式である場合、前記映像信号はＰＡＬ
処理手段へ供給される。
【００１３】
従って、ＮＴＳＣ方式の映像信号はＮＴＳＣ処理手段へ供給されて、ＮＴＳＣ方式の映
像信号に応じた信号処理（例えば、映像復調処理）が施され、ＳＥＣＡＭ方式の映像信号
はＳＥＣＡＭ処理手段へ供給されて、ＳＥＣＡＭ方式の映像信号に応じた信号処理が施さ
れ、ＰＡＬ方式の映像信号はＰＡＬ処理手段へ供給されて、ＰＡＬ方式の映像信号に応じ
た信号処理が施されるので、従来のように、受信したテレビ信号からテレビジョンの映像
方式を判別する判別回路を装備しなくても、ＮＴＳＣ方式、ＳＥＣＡＭ方式、ＰＡＬ方式
それぞれに応じた信号処理を行うことができる。
【００１４】
また、本発明に係るテレビジョン受信機（２）は、テレビジョン受信機（１）において
、前記映像方式判別手段が、前記移動体の現在位置を検出するための現在位置検出手段か
ら得られる現在位置情報に基づいて、前記移動体が所在する国を検出するための所在国検
出手段と、該所在国検出手段による検出結果と、国と該国で採用されているテレビジョン
の映像方式とが対応づけられたデータとに基づいて、前記移動体が所在する国で採用され
ている映像方式を検出するための映像方式検出手段とを含んで構成されていることを特徴
としている。
【００１５】
上記テレビジョン受信機（２）によれば、前記移動体が所在する国で採用されている映
像方式が検出されることによって、前記移動体が所在するエリアで採用されている映像方
式が判別される。例えば、前記移動体が日本や米国に所在する場合、前記移動体が所在す
るエリアで採用されている映像方式はＮＴＳＣ方式と判別され、前記移動体が仏国に所在
する場合、前記移動体が所在するエリアで採用されている映像方式はＳＥＣＡＭ方式と判
別され、前記移動体が独国に所在する場合、前記移動体が所在するエリアで採用されてい
る映像方式はＰＡＬ方式と判別される。これにより、国で採用される映像方式が変わった
としても、国と該国で採用されているテレビジョンの映像方式とが対応づけられたデータ
さえ変更すれば良いので、対応作業を簡単なものにすることができる。
【００１６】
また、本発明に係るテレビジョン受信機（３）は、テレビジョン受信機（１）又は（２
）において、前記映像方式判別手段による判別結果に基づいて、映像信号の方式に適した
タイミングで受信アンテナの切り換えを行うダイバーシティ制御手段を備えていることを
特徴としている。
【００１７】
上記テレビジョン受信機（３）によれば、映像信号の方式に適したタイミングで受信ア
ンテナが切り換えられてダイバーシティ制御が行われる。従って、受信アンテナの切り換
えが好ましくない期間（例えば、走査時間）に行われるのを防止することができ、移動中
での快適なテレビ放送受信を実現することができる。
【００１８】
また、本発明に係るテレビジョン受信機（４）は、テレビジョン受信機（１）〜（３）
のいずれかにおいて、前記映像方式判別手段による判別結果に基づいて、映像信号の方式
に適したタイミングで映像信号を検波して受信電波の強弱を判断し、該判断結果に基づい
て、映像検波出力を所定レベルに保つように利得制御を行うＡＧＣ制御手段を備えている
ことを特徴としている。
【００１９】
ところで、ＡＧＣ制御とは、検波された映像信号を利用して入力電波の強弱を判断し、
それに応じてチューナなどの利得を制御することであり、精度の良いＡＧＣ制御を実現す
るには、入力電波の強弱の判断を正確に行う必要がある。換言すれば、映像信号を適切な
タイミングで検波する必要がある。
【００２０】
上記テレビジョン受信機（４）によれば、映像信号の方式に適したタイミングで映像信
号を検波して受信電波の強弱が判断され、該判断結果に基づいて、映像検波出力を所定レ
ベルに保つように利得制御が行われる。従って、入力電波の強弱を精度良く行うことがで
きるので、精度の良いＡＧＣ制御を実現することができる。
【００２１】
また、本発明に係る映像方式判別方法（１）は、移動体に搭載されるテレビジョン受信
機に用いる映像方式判別方法において、前記移動体の現在位置を検出するための現在位置
検出手段から得られる現在位置情報に基づいて、前記移動体が所在する国を検出するステ
ップと、該検出により得られた結果と、国と該国で採用されているテレビジョンの映像方
式とが対応づけられたデータとに基づいて、前記移動体が所在する国で採用されている映
像方式を検出するステップとを有していることを特徴としている。
【００２２】
上記映像方式判別方法（１）によれば、前記移動体が所在する国が検出され、そして前
記移動体が所在する国で採用されている映像方式が検出されて、前記移動体が所在するエ
リアで採用されている映像方式が判別される。例えば、前記移動体が日本や米国に所在す
る場合、前記移動体が所在するエリアで採用されている映像方式はＮＴＳＣ方式と判別さ
れ、前記移動体が仏国に所在する場合、前記移動体が所在するエリアで採用されている映
像方式はＳＥＣＡＭ方式と判別され、前記移動体が独国に所在する場合、前記移動体が所
在するエリアで採用されている映像方式はＰＡＬ方式と判別される。これにより、従来の
ように、受信したテレビ信号からテレビジョンの映像方式を判別する判別回路を装備しな
くても、ＮＴＳＣ方式、ＳＥＣＡＭ方式、ＰＡＬ方式それぞれに応じた信号処理を行うこ
とができるようになる。
【発明を実施するための最良の形態】
【００２３】
以下、本発明に係るテレビジョン受信機及び映像方式判別方法の実施の形態を図面に基
づいて説明する。図１は、実施の形態（１）に係るテレビジョン受信機の要部を概略的に
示したブロック図である。図中１ａ〜１ｄは、車両Ｍの所定箇所に所定方向を向けて設置
された、テレビ放送波を受信するためのアンテナを示しており、これらアンテナ１ａ〜１
ｄはアンテナ切換手段２に接続され、アンテナ切換手段２によってＴＶチューナ３へ出力
されるアンテナ信号が切り換えられるようになっている。
【００２４】
ＴＶチューナ３は、受信したアンテナ信号の中から所定のチャンネルに対応する音声信
号及び映像信号を出力するようになっており、ＴＶチューナ３から出力された音声信号に
ついては、音声出力手段４を介して、スピーカ５から音声として出力され、他方、ＴＶチ
ューナ３から出力された映像信号については、選択スイッチ６、７と、ＮＴＳＣ復調部８
、ＳＥＣＡＭ復調部９、及びＰＡＬ復調部１０のいずれかとを介してディスプレイ１１へ
出力されて映像として表示され、さらにはダイバーシティ制御手段１２及びＡＧＣ制御手
段１３へ出力されるようになっている。
【００２５】
選択スイッチ６は、ＴＶチューナ３からの映像信号を、ＮＴＳＣ復調部８、ＳＥＣＡＭ
復調部９、及びＰＡＬ復調部１０のいずれかへ出力するものであり、選択スイッチ７は、
ＮＴＳＣ復調部８、ＳＥＣＡＭ復調部９、及びＰＡＬ復調部１０のいずれかで映像信号の
復調処理が施されたものをディスプレイ１１へ出力するものである。なお、ＮＴＳＣ復調
部８は、ＮＴＳＣ方式の映像信号を復調するためのものであり、ＳＥＣＡＭ復調部９は、
ＳＥＣＡＭ方式の映像信号を復調するためのものであり、ＰＡＬ復調部１０は、ＰＡＬ方
式の映像信号を復調するためのものである。
【００２６】
マイコン１４には、アンテナ１５を介して衛星からのＧＰＳ信号を受信するためのＧＰ
Ｓ受信機１６と、各国の領域を示した領域データや、各国で採用されているテレビジョン
の映像方式を示した映像方式データ（図２参照）が記憶されたメモリ１７とが接続されて
おり、マイコン１４は、車両Ｍの現在位置情報を取得することができると共に、車両Ｍの
所在する国、及び車両Ｍの所在する国で採用されている映像方式を判別することができる
ようになっている。
【００２７】
また、マイコン１４は、テレビジョンの映像方式の判別結果に基づいて、選択スイッチ
６、７を切り換えたり、判別結果を示したデータをダイバーシティ制御手段１２及びＡＧ
Ｃ制御手段１３へ出力するようになっている。例えば、マイコン１４は、映像方式がＮＴ
ＳＣ方式であると判別した場合には、入力端子６ｉと出力端子６ｎとが接続されるように
選択スイッチ６を制御し、また、入力端子７ｎと出力端子７ｏとが接続されるように選択
スイッチ７を制御するようになっている。
【００２８】
ダイバーシティ制御手段１２は、ＴＶチューナ３から出力される映像信号を取得するこ
とができ、この映像信号を利用してアンテナ信号の受信強弱を判断し、必要な場合にＴＶ
チューナ３と接続させるアンテナを順次切り換え、最も受信状態の良いものを選択するこ
とができるようになっている。また、ダイバーシティ制御手段１２へは、マイコン１４か
らテレビジョンの映像方式の判別結果を示したデータが入力され、ダイバーシティ制御手
段１２は、映像方式に適したタイミングでアンテナの切り換えを行うことができるように
なっている。
【００２９】
ＡＧＣ制御手段１３は、ＴＶチューナ３から出力される映像信号を取得することができ
、この映像信号を利用してアンテナ信号の受信強弱を判断し、映像検波出力を所定レベル
に保つようにＴＶチューナ３の利得を制御するようになっている。また、ＡＧＣ制御手段
１３へは、マイコン１４からテレビジョンの映像方式の判別結果を示したデータが入力さ
れ、ＡＧＣ制御手段１３は、映像方式に適したタイミングで映像信号を検波することがで
きるようになっている。従って、どの映像方式の映像信号を受信する場合でも、入力電波
の強弱の判断を精度良く行うことができるので、精度の良いＡＧＣ制御を実現することが
できる。
【００３０】
次に、実施の形態（１）に係るテレビジョン受信機のマイコン１４の行う処理動作［１
］を図３−１、図３−２に示したフローチャートに基づいて説明する。なお、この処理動
作［１］はテレビジョン受信機の電源がオンされた場合に行われる動作である。まず、Ｇ
ＰＳ受信機１６から得られる車両Ｍの現在位置情報を取得し（ステップＳ１）、取得した
車両Ｍの現在位置情報と、メモリ１７に記憶されている、各国の領域を示した領域データ
とに基づいて、車両Ｍが所在する国を検出し（ステップＳ２）、検出することによって得
られた結果と、メモリ１７に記憶されている、各国で採用されているテレビジョンの映像
方式を示した映像方式データとに基づいて、車両Ｍが所在する国で採用されている映像方
式を検出する（ステップＳ３）。
【００３１】
次に、車両Ｍが所在する国で採用されている映像方式がＮＴＳＣ方式であるか否かを判
断し（ステップＳ４）、ＮＴＳＣ方式であると判断すれば、次に、選択スイッチ６を制御
することによって、入力端子６ｉと出力端子６ｎとを接続させ（ステップＳ５）、選択ス
イッチ７を制御することによって、入力端子７ｎと出力端子７ｏとを接続させ（ステップ
Ｓ６）、映像方式がＮＴＳＣ方式であることを示したデータをダイバーシティ制御手段１
２及びＡＧＣ制御手段１３へ出力する（ステップＳ７）。また、映像方式が日本や北米で
採用されているＮＴＳＣ方式である場合、車両Ｍの走行中に映像方式が切り換わることは
ないので、そのことを示す映像方式変更フラグｆを「０」にする（ステップＳ８）。
【００３２】
一方、ステップＳ４において、車両Ｍが所在する国で採用されている映像方式はＮＴＳ
Ｃ方式でないと判断すれば、次に、車両Ｍが所在する国で採用されている映像方式がＳＥ
ＣＡＭ方式であるか否かを判断し（ステップＳ９）、ＳＥＣＡＭ方式であると判断すれば
、次に、選択スイッチ６を制御することによって、入力端子６ｉと出力端子６ｓとを接続
させ（ステップＳ１０）、選択スイッチ７を制御することによって、入力端子７ｓと出力
端子７ｏとを接続させ（ステップＳ１１）、映像方式がＳＥＣＡＭ方式であることを示し
たデータをダイバーシティ制御手段１２及びＡＧＣ制御手段１３へ出力する（ステップＳ
１２）。また、映像方式が仏国などで採用されているＳＥＣＡＭ方式である場合、車両Ｍ
の走行中に国境を越えて映像方式が切り換わることがあるので、そのことを示す映像方式
変更フラグｆを「１」にする（ステップＳ１３）。
【００３３】
一方、車両Ｍが所在する国で採用されている映像方式はＳＥＣＡＭ方式でない（すなわ
ち、独国などで採用されているＰＡＬ方式である）と判断すれば、次に、選択スイッチ６
を制御することによって、入力端子６ｉと出力端子６ｐとを接続させ（ステップＳ１４）
、選択スイッチ７を制御することによって、入力端子７ｐと出力端子７ｏとを接続させ（
ステップＳ１５）、映像方式がＰＡＬ方式であることを示したデータをダイバーシティ制
御手段１２及びＡＧＣ制御手段１３へ出力する（ステップＳ１６）。また、映像方式が仏
国などで採用されているＰＡＬ方式である場合、車両Ｍの走行中に国境を越えて映像方式
が切り換わることがあるので、そのことを示す映像方式変更フラグｆを「１」にする（ス
テップＳ１３）。
【００３４】
次に、実施の形態（１）に係るテレビジョン受信機のマイコン１４の行う処理動作［２
］を図４に示したフローチャートに基づいて説明する。なお、この処理動作［２］は所定
の時間毎に行われる動作である。まず、映像方式変更フラグｆが「１」であるか否かを判
断する（ステップＳ２１）。
【００３５】
映像方式変更フラグｆが「１」である（すなわち、車両Ｍが欧州のいずれかの国を走行
中であり、走行中に国境を越えて映像方式が切り換わることがある）と判断すれば、ＧＰ
Ｓ受信機１６から得られる車両Ｍの現在位置情報を取得し（ステップＳ２２）、取得した
車両Ｍの現在位置情報と、メモリ１７に記憶されている、各国の領域を示した領域データ
とに基づいて、車両Ｍが所在する国を検出し（ステップＳ２３）、検出することによって
得られた結果に基づいて、車両Ｍが国境を越えたか否かを判断する（ステップＳ２４）。
【００３６】
車両Ｍが国境を越えた（すなわち、映像方式が切り換わっているおそれがある）と判断
すれば、次に、メモリ１７に記憶されている、各国で採用されているテレビジョンの映像
方式を示した映像方式データに基づいて、車両Ｍが所在する国で採用されている映像方式
を検出し（ステップＳ２５）、検出することによって得られた結果に基づいて、映像方式
が切り換わっているか否かを判断する（ステップＳ２６）。
【００３７】
映像方式が切り換わっていると判断すれば、次に、車両Ｍが所在する国で採用されてい
る映像方式がＳＥＣＡＭ方式であるか否かを判断し（ステップＳ２７）、ＳＥＣＡＭ方式
であると判断すれば、次に、選択スイッチ６を制御することによって、入力端子６ｉと出
力端子６ｓとを接続させ（ステップＳ２８）、選択スイッチ７を制御することによって、
入力端子７ｓと出力端子７ｏとを接続させ（ステップＳ２９）、映像方式がＳＥＣＡＭ方
式であることを示したデータをダイバーシティ制御手段１２及びＡＧＣ制御手段１３へ出
力する（ステップＳ３０）。
【００３８】
一方、ステップＳ２７において、車両Ｍが所在する国で採用されている映像方式はＳＥ
ＣＡＭ方式でない（すなわち、独国などで採用されているＰＡＬ方式である）と判断すれ
ば、次に、選択スイッチ６を制御することによって、入力端子６ｉと出力端子６ｐとを接
続させ（ステップＳ３１）、選択スイッチ７を制御することによって、入力端子７ｐと出
力端子７ｏとを接続させ（ステップＳ３２）、映像方式がＰＡＬ方式であることを示した
データをダイバーシティ制御手段１２及びＡＧＣ制御手段１３へ出力する（ステップＳ３
３）。
【００３９】
また、ステップＳ２１において、映像方式変更フラグｆが「１」でない（すなわち、車
両Ｍは映像方式としてＮＴＳＣ方式を採用している日本又は北米を走行中であり、走行中
に映像方式が切り換わることはない）と判断した場合や、ステップＳ２４において、車両
Ｍが国境を越えていないと判断した場合、ステップＳ２６において、映像方式は切り換わ
っていないと判断した場合は、ステップＳ２７以降の処理動作を行う必要がないので、そ
のまま処理動作［２］を終了する。
【００４０】
上記実施の形態（１）に係るテレビジョン受信機によれば、車両Ｍが所在する国で採用
されている映像方式が判別され、その判別結果に基づいて、映像信号がＮＴＳＣ復調部８
、ＳＥＣＡＭ復調部９、及びＰＡＬ復調部１０のいずれかへ供給される。すなわち、車両
Ｍが所在する国で採用されている映像方式がＮＴＳＣ方式である場合、前記映像信号はＮ
ＴＳＣ復調部８へ供給され、車両Ｍが所在する国で採用されている映像方式がＳＥＣＡＭ
方式である場合、前記映像信号はＳＥＣＡＭ復調部９へ供給され、車両Ｍが所在する国で
採用されている映像方式がＰＡＬ方式である場合、前記映像信号はＰＡＬ復調部１０へ供
給される。
【００４１】
従って、ＮＴＳＣ方式の映像信号はＮＴＳＣ復調部８へ供給されて、ＮＴＳＣ方式の映
像信号に応じた映像復調処理が施され、ＳＥＣＡＭ方式の映像信号はＳＥＣＡＭ復調部９
へ供給されて、ＳＥＣＡＭ方式の映像信号に応じた映像復調処理が施され、ＰＡＬ方式の
映像信号はＰＡＬ復調部１０へ供給されて、ＰＡＬ方式の映像信号に応じた映像復調処理
が施されるので、従来のように、受信したテレビ信号からテレビジョンの映像方式を判別
する判別回路を装備しなくても、ＮＴＳＣ方式、ＳＥＣＡＭ方式、ＰＡＬ方式それぞれに
応じた信号処理を行うことができる。
【００４２】
また、ダイバーシティ制御手段１２へは、マイコン１４からテレビジョンの映像方式の
判別結果を示したデータが入力され、ダイバーシティ制御手段１２によって、映像信号の
方式に適したタイミングで受信アンテナが切り換えられてダイバーシティ制御が行われる
。従って、受信アンテナの切り換えが好ましくない期間（例えば、走査時間）に行われる
のを防止することができ、移動中での快適なテレビ放送受信を実現することができる。
【００４３】
また、ＡＧＣ制御手段１３へも、マイコン１４からテレビジョンの映像方式の判別結果
を示したデータが入力されるので、ＡＧＣ制御手段１３によって、どの方式の映像信号を
受信した場合であっても精度の良い利得制御が行われる。従って、移動中での快適なテレ
ビ放送受信を実現することができる。
【図面の簡単な説明】
【００４４】
【図１】本発明の実施の形態（１）に係るテレビジョン受信機の要部を概略的に示したブロック図である。
【図２】実施の形態（１）に係るテレビジョン受信機におけるメモリに記憶されているデータの一例を示した図である。
【図３−１】実施の形態（１）に係るテレビジョン受信機におけるマイコンの行う処理動作を示したフローチャートである。
【図３−２】実施の形態（１）に係るテレビジョン受信機におけるマイコンの行う処理動作を示したフローチャートである。
【図４】実施の形態（１）に係るテレビジョン受信機におけるマイコンの行う処理動作を示したフローチャートである。
【符号の説明】
【００４５】
２  アンテナ切換手段
３  ＴＶチューナ
６、７  選択スイッチ
８  ＮＴＳＣ復調部
９  ＳＥＣＡＭ復調部
１０  ＰＡＬ復調部
１２  ダイバーシティ制御手段
１３  ＡＧＣ制御手段
１４  マイコン
１６  ＧＰＳ受信機
１７  メモリ
【図１】
2006050379.tif 000003
【図２】
2006050379.tif 000004
【図３−１】
2006050379.tif 000005
【図３−２】
2006050379.tif 000006
【図４】
2006050379.tif 000007